(57)【要約】      （修正有）【課題】占有者の皮膚や他の軟組織に剪断を与えてしまうことがある占有者支持体を改善する。【解決手段】ベッドは、少なくとも一つの方向調節可能な部分（４４、４６、４８）を有するフレームと、フレームによって支持され、少なくとも一つのＡ空気袋と少なくとも一つのＢ空気袋を有するマットレスとを備える。空気袋は、ａ）フレーム部の方向を変更する命令の発行、およびｂ）フレーム部の実際の方向変更の少なくとも一つと連携して互いに逆位相で膨張可能及び収縮可能である。また、占有者支持体の別の部分に対して少なくとも一部分を方向調節可能である占有者支持体を操作するための関連した方法も記載されている。当該方法は、方向調節可能な部分の方向変化に応じて、位置Ａに比較的低い占有者／支持体の接触圧（ＯＳＩＰ）及び位置Ｂに比較的高いＯＳＩＰを与え、続いて位置Ａに比較的高いＯＳＩＰ及び位置Ｂに比較的低いＯＳＩＰを与える。【選択図】図５
2011177502.tif 000002
【特許請求の範囲】
【請求項１】
方向調節可能な部分の方向変化に応じて、位置Ａに比較的低い占有者／支持体の接触圧（ＯＳＩＰ）及び位置Ｂに比較的高いＯＳＩＰを与えることと、
続いて前記位置Ａに比較的高いＯＳＩＰ及び前記位置Ｂに比較的低いＯＳＩＰを与えることと
を備える、
占有者支持体の別の部分に対して少なくとも一部が方向調節可能な占有者支持体を操作する方法。
【請求項２】
前記位置ＡおよびＢに比較的低いＯＳＩＰ及び比較的高いＯＳＩＰを与える複数のサイクルを備える、請求項１に記載の方法。
【請求項３】
比較的低いＯＳＩＰを与えることはＯＳＩＰを実質的にゼロに低下させることを備える、請求項１に記載の方法。
【請求項４】
前記位置ＡおよびＢは縦寸法及び横寸法を有し、前記縦寸法は前記横寸法を上回る、請求項１に記載の方法。
【請求項５】
前記位置ＡおよびＢは縦寸法及び横寸法を有し、前記横寸法は前記縦寸法を上回る、請求項１に記載の方法。
【請求項６】
前記位置ＡおよびＢは、Ｎ＞１である横格子寸法Ｎ及びＭ＞１である縦格子寸法Ｍを有する格子として配置される、請求項１に記載の方法。
【請求項７】
前記比較的低い及び比較的高いＯＳＩＰを与える動作は、前記占有者支持体が方向変更を開始するように命令された以降に開始する、請求項１に記載の方法。
【請求項８】
前記比較的低い及び比較的高いＯＳＩＰを与える動作は、前記占有者支持体が方向変更を中止するように命令された以降に開始する、請求項１に記載の方法。
【請求項９】
前記比較的低い及び比較的高いＯＳＩＰを与える動作は、前記占有者支持体が方向変更を中止するように命令された以降に中止する、請求項１に記載の方法。
【請求項１０】
前記比較的低い及び比較的高いＯＳＩＰを与える動作は圧力循環の時間間隔中に発生し、
前記占有者支持体は方向変更の時間間隔中に方向変更の命令をされ、
前記圧力循環の時間間隔と前記方向変化の時間間隔は少なくとも部分的に重なり合う、
請求項１に記載の方法。
【請求項１１】
前記占有者支持体の方向調節可能な部分が方向を変更したか、単一の占有者支持体の方向変化イベント中に少なくとも一定量の方向を変更するように命令された場合にのみ、前記比較的低い及び比較的高いＯＳＩＰを与える動作が発生するように予定されている、
請求項１に記載の方法。
【請求項１２】
前記単一の占有者支持体の方向変化イベントは、定義された時間間隔以上の継続時間を有していないゼロまたはそれ以上の発行／解除サブイベントによって中断される方向変更コマンドの発行および解除を備える、請求項１１に記載の方法。
【請求項１３】
前記占有者支持体の方向調節可能な部分の方向に関連した決定は実際の方向の決定に基づき、
前記占有者支持体の方向調節可能な部分の方向変更に関連した決定は実際の方向変更の決定に基づく、請求項１に記載の方法。
【請求項１４】
少なくとも一つの方向調節可能な部分を有するフレームと、
前記フレームによって支持されるマットレスと
を備え、
前記マットレスは少なくとも一つのＡ空気袋及び少なくとも一つのＢ空気袋を含み、
前記空気袋は、
ａ）前記フレーム部の方向を変更する命令の発行、および
ｂ）前記フレーム部の実際の方向変更
の少なくとも一つと連携して互いに逆位相で膨張可能及び収縮可能である、
ベッド。
【請求項１５】
前記ＡおよびＢの空気袋は、前記占有者の太腿から首の基部を支えることを目的とする前記マットレスのあるゾーンのみに存在する、請求項１４に記載のベッド。
【請求項１６】
前記空気袋は縦寸法および横寸法を有し、前記横寸法は前記縦寸法を上回る、請求項１４に記載のベッド。
【請求項１７】
前記空気袋は縦寸法と横寸法を持ち、前記縦寸法は前記横寸法を上回る、請求項１４に記載のベッド。
【請求項１８】
前記空気袋は、Ｎ＞１である横格子寸法Ｎ及びＭ＞１である縦格子寸法Ｍを有する格子として配置される、請求項１４に記載のベッド。
【請求項１９】
前記空気袋の減圧を促進する弾性要素を含む、請求項１４に記載のベッド。
【請求項２０】
前記空気袋のアスペクト比は少なくとも約１．５であり、前記アスペクト比は空気袋の垂直寸法と、空気袋の縦寸法と横寸法のうち小さい方との比率である、請求項１４に記載のベッド。
【発明の詳細な説明】
【技術分野】
【０００１】
本明細書に説明される主題は、調節可能な構成要素を備え、該構成要素の調整によって占有者の皮膚や他の軟組織に剪断を与えてしまうことがある占有者支持体に関連する。特に、主題はそのような剪断を緩和する（防止または軽減も含む）方法および装置に関連する。当該方法および装置の一応用例は、方向調節可能なデッキ部を有する病院用ベッドである。
【背景技術】
【０００２】
病院用ベッドは、ベースフレーム、ベースフレームに対して高さを調節できる上昇可能フレーム、一つ以上の方向調節可能なデッキ部を備えるデッキ、およびデッキによって支持されるマットレスを有することができる。あるタイプのデッキは、占有者の後頸部や頭に対応する頭部または上半身部、占有者の臀部に対応する座部、占有者の太腿に対応する太腿部、そして占有者のふくらはぎや足に対応するふくらはぎ部を有する。座部を除くすべての部分は、方向調節可能である。調節可能なデッキ部の一つを調節することによって、そのデッキ部上に置いてあるマットレスの一部の方向が変化する。ある既知のタイプのマットレスは、一つ以上の膨張式袋を備えるエアマットレスである。
【０００３】
頭部が水平（０°）方向から非水平方向に変化する場合、特に骨格などの占有者の身体の内部部分は、通常マットレスの足側に向けて移動する。しかしながら、占有者／マットレスの接触面における摩擦によって、占有者の皮膚および他の軟組織がそれに対応して移動するのを妨げられる。その結果、軟組織が伸張することとなる。結果的に生じる占有者の皮膚への剪断応力は、特に長期間持続される場合には、例えば、血流妨害、リンパ機能および皮層／表皮層の剪断による皮膚の損傷と関連する。
【０００４】
それゆえ、ベッドの頭部またはその他の方向調節可能な構成要素の方向の変化に関連した剪断および組織の伸張を緩和するベッド、マットレスおよび方法を開発することが望ましい。
【発明の概要】
【課題を解決するための手段】
【０００５】
ここに記載された主題には、少なくとも一つの方向調節可能な部分を有するフレーム、フレームによって支持されて少なくとも一つのＡ空気袋と少なくとも一つのＢ空気袋を有するマットレスが含まれる。空気袋は、ａ）フレーム部の方向を変更する命令の発行、およびｂ）フレーム部の実際の方向変更のうちの少なくとも一つと連携して、互いに逆位相で膨張及び収縮可能である。また、別の部分に対して少なくともその一部は方向調節可能である占有者支持体を操作する方法も記載されている。当該方法は、方向調節可能な部分の方向の変化に応じて、位置Ａに比較的低い占有者／支持体の接触圧（ＯＳＩＰ：occupant/support interface pressure）を与え、位置Ｂに比較的高いＯＳＩＰを与えるのに続いて、位置Ａに比較的高いＯＳＩＰを与え、位置Ｂに比較的低いＯＳＩＰを与えることを備える。
【０００６】
ここに記載した方法および装置の多様な実施態様の前述およびその他の特徴は、下記の詳細な説明および添付の図面からより明らかとなるであろう。
【図面の簡単な説明】
【０００７】
【図１】複数の空気袋を備えるエアマットレスを有する病院用ベッドの斜視図である。
【図２】空気袋および非空気圧式（例：発泡体）部を有するマットレスを備えたベッドの右側略正面図であり、さまざまな方向調節を図示し、ベッドの上半身部の方向調節がどのようにしてベッド占有者に剪断や組織の伸張を誘発するかを示している。
【図３】空気袋および非空気圧式（例：発泡体）部を有するマットレスを備えたベッドの右側略正面図であり、さまざまな方向調節を図示し、ベッドの上半身部の方向調節がどのようにしてベッド占有者に剪断や組織の伸張を誘発するかを示している。
【図４】図２に類似した図であり、足を下に向けたベッドを図示し、ベッドは頭が下がる方向に配置できることも示している。
【図５】分類された空気袋および該空気袋を圧縮機およびポンプに接続する構造を示すベッドの略平面図である。
【図６】空気袋の横寸法が縦寸法を上回る、空気袋の構成の斜視図である。
【図７】空気袋の縦寸法が横寸法を上回る、空気袋の構成の斜視図である。
【図８】空気袋がＭ×Ｎ寸法のマトリックスまたは格子のセルとして配列された、空気袋の構成の斜視図である。
【図９】空気袋が千鳥状にＭ×Ｎ寸法のマトリックスまたは格子のセルとして配列された、空気袋の構成の平面図である。
【図１０】図５に類似した図であり、分類された空気袋および該空気袋を圧縮機およびポンプに接続する別の構造を示す。
【図１１】マットレスに横たわっている占有者が、ベッドのある部分の方向変化の結果としてどのように剪断や組織の伸張の影響を受けるか、また分類された空気袋が剪断および組織の伸張を緩和するためにどのように使用されるかを示す一連の図である。
【図１２】マットレスに横たわっている占有者が、ベッドのある部分の方向変化の結果としてどのように剪断や組織の伸張の影響を受けるか、また分類された空気袋が剪断および組織の伸張を緩和するためにどのように使用されるかを示す一連の図である。
【図１３】マットレスに横たわっている占有者が、ベッドのある部分の方向変化の結果としてどのように剪断や組織の伸張の影響を受けるか、また分類された空気袋が剪断および組織の伸張を緩和するためにどのように使用されるかを示す一連の図である。
【図１４】マットレスに横たわっている占有者が、ベッドのある部分の方向変化の結果としてどのように剪断や組織の伸張の影響を受けるか、また分類された空気袋が剪断および組織の伸張を緩和するためにどのように使用されるかを示す一連の図である。
【図１５】マットレスに横たわっている占有者が、ベッドのある部分の方向変化の結果としてどのように剪断や組織の伸張の影響を受けるか、また分類された空気袋が剪断および組織の伸張を緩和するためにどのように使用されるかを示す一連の図である。
【図１６】ベッドのある部分の方向変化に対する命令に関連して、分類された空気袋の一つ以上の圧力サイクルの時系列の例を示すグラフである。
【図１７】図１７Ａ〜図１７Ｄは空気袋の圧力循環中における分類された空気袋の袋内圧間の位相関係の例を示すグラフである。
【図１８】ベッドのある部分の方向変更の命令または実際の方向変化に対応した、分類された空気袋の一つ以上の交互圧力サイクルを実行する一つの可能なアルゴリズムを示す流れ図である。
【図１９】袋内からの排気を加速させる弾性帯によって束縛された空気袋の斜視図である。
【発明を実施するための形態】
【０００８】
図１は、頭側端部２２、頭側端部から長手方向に間隔をおいて配置された足側端部２４、右側２６および右側から横方向に間隔をおいて配置された左側２８を有する病院用ベッド２０を示す。ベッドは、ベッドフレーム３２および上昇可能なフレーム３４を含む。頭側端部のキャニスターリフト３８、および類似の足側端部のキャニスターリフト（不図示）によって一部分が示されたリフトシステムは、ベースフレームに対して上昇可能なフレームの高さを調節可能にする。また、図４の傾斜角度αで示されるように、リフトシステムはベースフレームを頭を下にした傾斜（トレンデレンブルク）又は足を下にした傾斜（逆トレンデレンブルク）に調節することができる。上昇可能なフレームには、頭部または上半身デッキ部４４、座部デッキ部４６、太腿デッキ部４８およびふくらはぎデッキ部５０を備えるデッキが含まれる。頭部、太腿部、およびふくらはぎ部は、図３の角度β、θおよびδで示されるように方向が調節可能である。ユーザーは、キーパッド５４などのユーザーインターフェースによって、上昇、傾斜およびデッキ部の方向に対する調節を命令する。
【０００９】
エアマットレス５８という形式での占有者支持体はデッキ上に載っている。エアマットレスは、図１で透視されている。エアマットレスは、袋内の膨張圧に膨張された空気袋６０を含む。図２および図３は、上半身、座部、太腿の各デッキ部の上に覆い被さる空気袋と、ふくらはぎデッキ部に覆い被さる非空気圧式部分（例えば発泡体）を有する別のマットレスを示す。
【００１０】
図２および図３は、頭部デッキ部４４を水平方向からより高い（非水平）方向に上昇させた結果としてベッド占有者の皮膚に与えられる剪断および組織伸張を示し、また当該剪断および伸張を緩和する（防止又は軽減を含む）ためのマットレス５８を示す概略図である。占有者の身体のある位置にかけられた圧力は、占有者／支持体の接触圧と呼ばれ、ここではＯＳＩＰと略語表記される。図２は、初期段階において水平（０°）方向にあるデッキ部および占有者の骨格（脊柱６４で表示）、皮膚６６およびその他の軟組織６８を描いた基準である。この図は、脊柱から皮膚へ軟組織を通って伸びるハッシュマークを含む。脊柱および皮膚に対してハッシュマークが垂直なことは、著しい剪断および組織伸張が存在しないことを示す。図３は、方向β１に上昇された頭部デッキ部の結果を示す。頭部の上昇によって、大部分において、占有者はベッドの足側に向けて距離ｄ分移動した。しかしながら、占有者の皮膚がそれに対応して移動するのを占有者／マットレスの接触面における摩擦が阻み、その結果としてハッシュマークが垂直でないことによって示されるように望ましくないことに皮膚や軟組織を伸張させる。占有者の皮膚や軟組織が伸張する傾向は、ＯＳＩＰの増加に伴い高くなる。
【００１１】
図５は、剪断および伸張を防止、軽減または緩和するためのマットレス５８を有するベッドの概略図である。マットレスは、少なくとも二つのクラスの空気袋６０を含む。マットレスは、各クラスの少なくとも一つの空気袋を有し、望ましくは各クラスの複数の空気袋を有する。図示されたマットレスは正に二つのクラスの空気袋を含み、一つはクラスＡ、一つはクラスＢと指定され、各クラスの複数の空気袋を含む。ＡおよびＢの空気袋はマットレスの長手方向の全長にわたってもよいが、分類された袋が、例えば占有者の太腿から首の基部まで占有者を支持することを目的としたマットレスのあるゾーンなどの、マットレスのより限られた長手方向のゾーンにのみ存在することでも十分である。図示されたベッドにおいて、長手方向に制限されたゾーンは、頭部、座部および太腿部４４、４６、４８を包含する。
【００１２】
図６を参照すると、各袋には垂直寸法Ｖ、縦寸法ＤＬＯＮＧ、横寸法ＤＬＡＴおよびアスペクト比がある。アスペクト比は、垂直寸法を縦寸法または横寸法のうちより小さい方で割ったものである。図５および図６のマットレスの縦寸法はその横寸法よりも小さいため、そのアスペクト比はＶ/ＤＬＯＮＧである。
【００１３】
図５を再び参照すると、ベッドはまた、圧搾空気を空気袋に供給するブロアまたは圧縮機７２、すべてのＡ空気袋と流体連通するＡ供給用マニホルド７４、およびすべてのＢ空気袋と流体連通するＢ供給用マニホルド７６を備える。ＡおよびＢの供給弁７８、８０は、圧縮機からの圧搾空気をＡ供給用マニホルド、Ｂ供給用マニホルドまたはその両方に向ける。また、ベッドは空気袋から空気を抜くためのポンプ８６、すべてのＡ空気袋と流体連通するＡ排出用マニホルド８８、およびすべてのＢ空気袋と流体連通するＢ排出用マニホルド９０を含む。ＡおよびＢ排出弁９２、９４は、ポンプをＡ排出用マニホルド、Ｂ排出用マニホルド、またはその両方と流体連通させて配置する。また、ベッドは頭部デッキ部４４の方向βを探知するセンサー９８を含む。制御装置１００は、センサーやユーザーキーパッド５４からの入力を受信し、制御信号１０２を圧縮機、ポンプおよび弁に送る。
【００１４】
制御装置、圧縮機、ポンプおよび弁によって、例えば、頭部デッキ部４４の方向を変更する命令の発行と連携して、または頭部デッキ部の実際の方向変化と連携して、互いに逆位相でＡおよびＢ袋を膨張可能及び収縮可能にさせる。
【００１５】
図７は、縦寸法ＤＬＯＮＧが横寸法ＤＬＡＴを上回るように空気袋が配置された別の空気袋の構成を示す。従って、縦寸法または横寸法の小さい方で垂直寸法を割って算出されるアスペクト比は、Ｖ/ＤＬＡＴである。
【００１６】
図８はさらに別の空気袋の構成を示し、ＭおよびＮは両方とも１よりも大きい、Ｍ×Ｎ寸法のマトリックスまたは格子のセルとして二つのクラスの袋が配列されている。
【００１７】
図９は、さらに別の空気袋の構成を示し、ＭおよびＮは両方とも１よりも大きい、Ｍ×Ｎ寸法のマトリックスまたは格子のセルとして三つのクラスの袋Ａ、ＢおよびＣが配列されている。マットレスの端部に沿って長手方向に分配された袋内領域１０４は、図の上部により近いマットレスの横側に示されるミニ袋１０６によってふさがれるか、または別の側に示される空隙１０８として残すことができる。
【００１８】
図１０は、袋に圧搾空気を供給するためのブロアまたは圧縮機７２、共通供給用マニホルド１１２、および選択されたＡおよび／またはＢ空気袋と連通する供給用マニホルドとそれに伴って圧縮機を配置する空気袋専用の供給弁ＶＳＡ１、ＶＳＡ２、ＶＳＡ３、・・・ＶＳＡｎおよびＶＳＢ１、ＶＳＢ２、ＶＳＢ３、・・・ＶＳＢｎを有する別の構造を示す。また、当該別の構造は袋から空気を抜くためのポンプ８６、共通排出用マニホルド１１４、及び選択されたＡおよび／またはＢ空気袋と連通する排出用マニホルドとそれに伴ってポンプを配置する空気袋専用の排出弁ＶＤＡ１、ＶＤＡ２、ＶＤＡ３、・・・ＶＤＡｎおよびＶＤＢ１、ＶＤＢ２、ＶＤＢ３、・・・ＶＤＢｎを含む。角度センサー９８は、頭部デッキ部４４の方向βを感知する。制御装置１００は、センサーやキーパッドからの入力を受信し、制御信号１０２を圧縮機、ポンプおよび弁に発行する。
【００１９】
操作において、ユーザーはキーパッド５４を用いて、例えば水平（０°）から非水平の方向β１への頭部４４の方向変更を命令する。方向を変更する前に、ＡおよびＢ空気袋の両方は膨張した状態にある（図１１）。方向の変化に伴い、占有者の身体は方向Ｄに移動し、占有者の組織は既に説明したように伸張される（図１２）。図１３に見られるように、伸張は、位置Ａ（クラスＡ空気袋に対応する）に比較的低いＯＳＩＰを与えることと、位置Ｂ（クラスＢ空気袋に対応する）に比較的高いＯＳＩＰを与えることによって緩和される。「比較的低い」「比較的高い」といった語句は、既存の基準ＯＳＩＰに対してではなく、互いに関連した位置ＡおよびＢでのＯＳＩＰを意味する。図１３に見られるように、位置Ａでのより低いＯＳＩＰによって、これらの位置で伸張した組織が緩和した状態に戻ることが可能となり、その一方で、位置Ｂで同時に発生する比較的高いＯＳＩＰが占有者に継続的な支持を提供する。位置Ａでの比較的低いＯＳＩＰは、適切な排出弁（図５の弁９２、図１０の弁ＶＤＡ）を開き、ポンプ８６を操作することによって達成される。位置Ｂでの比較的高いＯＳＩＰは、Ｂ空気袋を既存の通常の膨張状態に保つだけで達成される。別の方法として、Ｂ空気袋は、適切な弁（図５の弁８０、図１０の弁ＶＳＢ）を開いて圧縮機７２を操作することで、必要に応じて一時的に過膨張させることもできる。図１３は、実質的にゼロＯＳＩＰを達成するために十分に減圧されたクラスＡ空気袋を示す。
【００２０】
その後、図１４に見られるように、比較的高いＯＳＩＰが位置Ａ（クラスＡ空気袋に対応する）に与えられ、比較的低いＯＳＩＰが位置Ｂ（クラスＢ空気袋に対応する）に与えられる。位置Ｂでの比較的低いＯＳＩＰによって、それらの位置で伸張した占有者の組織は緩和した状態に戻ることが可能となる。位置Ａで同時に発生する比較的高いＯＳＩＰが、今度は占有者に支持を提供する。位置Ｂでの比較的低いＯＳＩＰは、適切な排出弁（図５の弁９４、図１０の弁ＶＤＢ）を開いてポンプを操作することで達成される。位置Ａでの比較的高いＯＳＩＰは、適切な供給弁（図５の弁７８、図１０の弁ＶＳＡ）を開き、圧縮機を操作してＡ袋を再加圧することで達成される。図１４は、実質的にゼロＯＳＩＰを達成するために十分に減圧されたクラスＢ袋を示す。
【００２１】
最終的に、Ｂ空気袋は、図１５に見られるように通常の膨張圧に再び膨張される。
【００２２】
前述の実施例は、比較的低圧の状態であることが望まれる各空気袋（図１３の空気袋Ａおよび図１４の空気袋Ｂ）から空気を抜き、比較的高圧の状態であることが望まれる空気袋を既存の通常の膨張状態に保つか、それらの空気袋（図１３の空気袋Ｂ、図１４の袋Ａ）を過膨張させることで、空気袋内の比較的低い圧力および高い圧力を達成している。別の方法として、比較的高圧の状態であることが望まれる各空気袋を過膨張させ、別のクラスの空気袋を既存の通常の膨張状態に保つか、それらの空気袋から空気を抜くことでも、圧力差を達成しうる。実際の空気袋内の圧力は、クラスＡとクラスＢの空気袋間の圧力差に比べて重要性が低い。言い換えれば、組織の伸張および剪断は、比較的低圧の空気袋が占有者の体重をほとんど支えずに占有者／マットレスの接触面における摩擦を緩和する限り、一つのクラスの空気袋の圧力を低下させるか、または別のクラスの空気袋の圧力を上昇させることで緩和されうる。
【００２３】
完全な組織の緩和を確実にするために、ＯＳＩＰは、図１３および図１４に示すように実質的にゼロに低下されるべきである。しかしながら、より控えめな減圧が、剪断および組織伸張の完全な又は少なくとも部分的な軽減を達成するのに効果的な場合もある。効果的な剪断の緩和は、ＯＳＩＰをわずか約２０ｍｍＨｇに低下させることで得られると考えられる。いずれにしても、ＯＳＩＰを特定の値に低下させることは、空気袋内の膨張圧を同じ値に低下させることを要求しないことが認識されるべきである。
【００２４】
一般に、組織は伸縮力Ｆｓによって伸張される。単位面積Ａ当たりの伸縮力は、占有者／支持体の接触圧（ＯＳＩＰ）に比例している。  
Ｆｓ/Ａ＝μｓｓ * ＯＳＩＰ     （１）
ここでμｓｓは占有者の皮膚とマットレス表面との間の摩擦係数であり、Ａは占有者とマットレスとの間の接触面積である。復元力ＦＲは、組織をその本来の伸張されていない状態に戻そうとする。単位面積当たりの復元力の大きさは、組織伸張の量に比例している。  
ＦＲ/Ａ＝ｋｓ/Ａ * ｘ     （２）
ここでｋｓは単位面積当たりの組織のバネ定数であり、ｘは占有者／マットレスの接触面で組織が移動する距離である。ＦＲがＦＳを上回る場合、つまり下記の場合には、復元力は伸縮力を十分克服できる。  
ｋｓ/Ａ * ｘ ＞ μｓｓ * ＯＳＩＰ     （３）
所定量の組織伸張ｘについて、ＯＳＩＰは上記の不等式における唯一の変数である。そのため、占有者の組織を緩和させてその本来の伸張されていない状態に戻すために、ＯＳＩＰを十分に低下させて上記の不等式を満たす必要がある。
【００２５】
位置Ａに比較的低いＯＳＩＰ及び位置Ｂに比較的高いＯＳＩＰを与え、その次に位置Ａに比較的高いＯＳＩＰ及び位置Ｂに比較的低いＯＳＩＰを与えるという上述のサイクルは、そのような反復が望ましいと思われる場合には複数回繰り返すことができる。占有者の皮膚が緩和して実質的に伸張されていない状態に戻るのに十分なほどゆっくりとした頻度が適している。実際には、当該頻度は、流れの供給源（例えば圧縮機７２およびポンプ８６）が必要な空気袋内の圧力振幅を達成できる最大速度に対応する頻度よりも速くない頻度であることが予想される。
【００２６】
図１６は、頭部デッキ部が方向Δβに変化するようにとの持続的命令に対する上述の交互圧力サイクルの時系列の多数の選択肢を示す図である。
【００２７】
図１６において、Δβコマンドは、初期時間ｔｉから最終時間ｔｆに至る方向変化の時間間隔中に存在する。より低いＯＳＩＰとより高いＯＳＩＰを交互に望ましいサイクルで与える動作（例えば、供給弁および／排出弁の開閉や圧縮機および／またはポンプの操作）が、圧力循環の時間間隔を画定する。サイクル例Ｃ１、Ｃ２およびＣ３はすべてｔｉ以前に開始し、それぞれｔｆ以前か、ｔｆと同時か、ｔｆ後に終了する。サイクルＣ４、Ｃ５およびＣ６はすべてｔｉと同時に開始し、それぞれｔｆ以前か、ｔｆと同時か、ｔｆ後に終了する。サイクルＣ７はｔｉ後に開始し、ｔｆ前に終了する。サイクルＣ８、Ｃ９およびＣ１０はすべてｔｉ後に開始し、それぞれｔｆ以前か、ｔｆと同時か、ｔｆ後に終了する。サイクルＣ１１はｔｆ時間に開始する。サイクルＣ１２は、ｔｆよりも後の時間に開始する。ｔｉ以前に開始する交互圧力サイクル（サイクルＣ１、Ｃ２、Ｃ３）は、添付した特定の請求項の範囲内であるが、ｔｉに先行するサイクルの一部分は、剪断および組織伸張が発生する前であっても剪断および組織伸張を緩和させるのに十分低いレベルにＯＳＩＰを低下させるサイクルの先制部分である。従って、占有者支持体が方向を変更するよう命令された以降に開始するサイクルは、より効果が高いと考えられる。占有者支持体がその方向の変更を中止するように命令された以降に開始するサイクル（サイクルＣ１１、Ｃ１２）は効果があると考えられるが、伸張を緩和するための動作を取る前に最大の組織伸張を発生させてしまうという不利益の可能性を抱える。一時的な剪断および組織伸張は持続された剪断および組織伸張よりも問題となる可能性が低いため、この不利益は些少なものと考えられる。占有者支持体がその方向の変更を中止するように命令を受けた以降に止まるサイクル（サイクルＣ２、Ｃ３、Ｃ５、Ｃ６、Ｃ９、Ｃ１０、Ｃ１１、及びＣ１２）は、少なくとも方向変更が止まるまで交互圧力サイクルが持続するという利点を持つ。占有者支持体がその方向変化を中止するように命令された時間ｔｆを超えて一時的に延長されるサイクル（Ｃ３、Ｃ６、Ｃ１０、Ｃ１１、Ｃ１２）は、サイクルのより早期部分では対処されなかった残りの伸張を緩和させるさらなる機会を提供する。また、一時的な延長は、時間ｔｆ後に発生するいかなる組織伸張にも対処する。そのような伸張は、例えば、占有者の慣性によって、方向の変化が止まった、または止めるように命令された期間後も占有者がマットレスに沿って長手方向に移動し続ける場合に発生しうる。少なくとも部分的に方向変化の時間間隔が重なり合うサイクル（Ｃ１１とＣ１２を除くすべてのサイクル）には、占有者が組織伸張を最も受けやすい時間間隔中の少なくとも一部において交互圧力サイクルが発生するという利点がある。しかしながら、既に指摘したように、一時的な剪断および組織伸張は持続された剪断および組織伸張よりも損傷度が低いため、利点は些少でありうる。同じ理由により、サイクルＣ１１およびＣ１２は満足度が高いと考えられている。
【００２８】
ある特定の大きさの方向変化が著しい組織伸張を与えるか否かは、方向変化Δβ、初期方向βｉｎｉｔｉａｌまたはその両方の関数でありうることが認識されるべきである。従って、占有者支持体の方向調節可能な部分が少なくとも所定の量分方向を変更するように命令される場合にのみ、および／または初期方向βｉｎｉｔｉａｌが単一の占有者支持体の方向変化イベントにおいて所定の基準を満たす場合にのみ、交互圧力サイクルを提供することが満足のいくものでありうる。単一の方向変化イベントは、定義された時間間隔以上の継続時間を有していないゼロまたはそれ以上の発行／解除サブイベントによって中断される方向変化コマンドの発行およびその後の解除（例えば、キーパッド５４の適切なキーを押してから離すことで）として定義される。これは、例えば１０°から４０°に方向変化を命令しようと意図したものの、方向変化イベント中に定義した時間間隔に満たない間にコマンドで一時的に圧力を放出してしまうユーザーの可能性を説明するものである。制御装置１００は、一時的な放出を二回の別々のイベント間の休止としては認識せず、その代わりに単一のイベントとして認識する。
【００２９】
交互圧力サイクルと方向変化との間の可能な一時的関係についての上述の説明は、命令された方向変化に基づくものだが、関係は代わりに実際の方向変化（例えば頭部デッキ部４４の方向変化）に基づくこともできる。言い換えれば、占有者支持体の方向調節可能な部分の方向に関連した決定は、命令された方向変化ではなく実際の方向の決定に基づくことができ、占有者支持体の方向調節可能な部分の方向の変化に関連した決定は、命令された方向変化ではなく実際の方向変化の決定に基づくことができる。
【００３０】
図１７Ａ〜図１７Ｄは、さまざまな空気袋内の圧力サイクルの波形例と、異なるクラスＡおよびＢの空気袋間の位相関係を示すグラフである。占有者／支持体の接触圧は、類似の波形と位相関係を示すであろう。図１７Ａは、ＡおよびＢ袋圧力が半サイクル分互いに逆位相である実質的に方形波な波形を示す。すなわち、Ｂ空気袋の圧力が低い場合にＡ空気袋の圧力は高く、またその逆もある。これは、効果的な剪断および組織伸張の緩和にとって最適な波形および位相関係であると考えられている。図１７Ｂは、図１７Ａに類似した波形を示すが、ＡとＢの波形位相はサイクルの約１/３分移動している。図１７Ｃは、半サイクル分の位相差がある非方形波の波形を示す。図１７Ｄは、１/３サイクル分の位相差がある非方形波の波形を示す。正弦波や図１７Ｂ〜図１７Ｄの波形などの非方形波は、必要な気流速度がより低く、それゆえ達成しやすいという方形波よりも実用的な利点がある。
【００３１】
図１８は、命令された方向変化又は実際の方向変化に対応して交互圧力サイクルを実行する制御アルゴリズムを示す流れ図である。ブロック１３０は、例えば、ユーザーキーパッド５４上の適切なキーに対する加圧など、頭部デッキ部の方向を変更する命令が発行されたかどうかを決定する。発行された場合は、アルゴリズムが存在する角度方向をブロック１３２でβｉｎｉｔｉａｌとして記録する。ブロック１３４で、アルゴリズムは方向調節イベントが終了したか、まだ進行しているかを監視する。アルゴリズムによって、一定期間以上、方向変更の命令が存在していないと決定される場合、アルゴリズムはユーザーが意図的に制御キーへの圧力を解除したものと結論を下し、ブロック１３６に進む。しかしながら、命令が一時的に中断された（つまり不在となり、その後一定期間が経過する前に再び現れた）場合には、アルゴリズムは中断が意図的ではなかったと結論を下し、命令の意図的削除がないかを引き続き監視する。
【００３２】
ブロック１３６において、アルゴリズムはデッキ部の存在する角度方向をβｆｉｎａｌとして記録する。ブロック１３８において、アルゴリズムは角度方向Δβの変化を計算する。ブロック１４０において、アルゴリズムは角度変化の程度（絶対値）|Δβ|を閾値の角度変化ΔβＴＨＲＥＳＨＯＬＤと比較する。該程度が閾値未満の場合、アルゴリズムは交互圧力サイクルの命令を控える。該程度が閾値と同等またはそれを上回る場合には、アルゴリズムは、例えば、供給弁および排出弁を適切に開閉し、圧縮機およびポンプを操作したり操作を控えたりすることで、一つ以上の交互圧力サイクル（ブロック１４２）を提供するよう命令を発行する。サイクルが完了すると（ブロック１４４）、アルゴリズムは圧力サイクルを終了する（ブロック１４６）。
【００３３】
上述の説明を考慮して、主題に関して何らかの他の特徴や変形が、ここではより認識されるであろう。例えば、ベッドの頭部の方向を変更させるという状況において方法および装置が説明されてきたが、ここで教示される原則はその他の部分にも適用され、必要に応じて、ベッドフレームの傾斜αの変化と併せても適用することができる。
【００３４】
図示された実施態様は、空気袋から空気を急速に抜くためにポンプ８６を使用する。しかしながら、原則的にはポンプの代わりにパッシブ換気を用いてもよい。そのような配置においては、空気袋の急速な減圧を促すためにその他の構成要素を含めることが賢明である。図１９は、空気袋が膨張された時に空気袋周辺に伸びる弾性帯１１８という形での弾性要素を用いた一つの可能な配置を示す。パッシブ換気が開くと、弾性帯は空気袋内の空気の排気を加速させるのに役立つ。
【００３５】
空気袋の膨張圧を控えるだけで、空気袋の急速な減圧、および付随してＯＳＩＰを満足のいくレベルまで低下させることを達成できるには、少なくとも１．５という空気袋のアスペクト比が望ましいと考えられる。控えめな空気袋の圧力は圧縮機の需要を低下させ、空気袋の破裂の可能性も低下させる。より高いアスペクト比では、比較的低圧の空気袋から占有者の体重を十分に取り除くように空気袋内の圧力変化をより小さくすることを必要とし、剪断および組織伸張を緩和できるくらいＯＳＩＰを低下させる。
【００３６】
本出願の一部は、占有者／マットレスの接触面および占有者の皮膚とマットレス表面との間の摩擦係数に言及している。実際には、占有者は通常寝間着を着用しており、より正確には接触面は占有者／寝間着／マットレスを組み合わせた接触面として考えられる。さらに、皮膚とマットレス表面との間の摩擦係数全体を想定することはできるものの、占有者の寝間着が存在することで接触面はより複雑なものとなる。しかしながら、占有者／マットレス接触面のより単純な概念および占有者の皮膚とマットレス表面との間の摩擦係数を使用することは、教示の適用範囲および請求される主題から逸脱することなくここで記載及び請求される主題の根本的な原則を顕在化させる有益な理想化である。
【００３７】
この開示では具体的な実施態様に言及しているが、添付の各請求項に明記される主題から逸脱することなく、形態や詳細に対してさまざまな変更を行うことができることを当業者は理解するであろう。
【図１】
2011177502.tif 000003
【図２】
2011177502.tif 000004
【図３】
2011177502.tif 000005
【図４】
2011177502.tif 000006
【図５】
2011177502.tif 000007
【図６】
2011177502.tif 000008
【図７】
2011177502.tif 000009
【図８】
2011177502.tif 000010
【図９】
2011177502.tif 000011
【図１０】
2011177502.tif 000012
【図１１】
2011177502.tif 000013
【図１２】
2011177502.tif 000014
【図１３】
2011177502.tif 000015
【図１４】
2011177502.tif 000016
【図１５】
2011177502.tif 000017
【図１６】
2011177502.tif 000018
【図１７】
2011177502.tif 000019
【図１８】
2011177502.tif 000020
【図１９】
2011177502.tif 000021
【外国語明細書】
2011177502.tif 000022
2011177502.tif 000023
2011177502.tif 000024
2011177502.tif 000025
2011177502.tif 000026
2011177502.tif 000027
2011177502.tif 000028
2011177502.tif 000029
2011177502.tif 000030
2011177502.tif 000031
2011177502.tif 000032
2011177502.tif 000033
2011177502.tif 000034
2011177502.tif 000035
2011177502.tif 000036
2011177502.tif 000037
2011177502.tif 000038
2011177502.tif 000039
2011177502.tif 000040
2011177502.tif 000041
2011177502.tif 000042
2011177502.tif 000043
2011177502.tif 000044
2011177502.tif 000045
2011177502.tif 000046
2011177502.tif 000047
2011177502.tif 000048
2011177502.tif 000049
2011177502.tif 000050
2011177502.tif 000051
2011177502.tif 000052
2011177502.tif 000053
2011177502.tif 000054
2011177502.tif 000055
2011177502.tif 000056
2011177502.tif 000057
2011177502.tif 000058
2011177502.tif 000059
2011177502.tif 000060
2011177502.tif 000061
2011177502.tif 000062
2011177502.tif 000063
2011177502.tif 000064